(57)【要約】      （修正有）【課題】ユーザの目的地である可能性が高い位置に関する情報を表示することのできる表示制御装置制御方法及び制御プログラムを提供すること。【解決手段】表示制御装置は、地点に関する履歴情報に基づいて複数の地点について評価値を算出し、各地点の属するエリア毎に評価値を集計して、集計評価値が第１の基準を満たすエリアに関する情報を表示部に表示させる。現在位置がエリア内である場合とエリア外である場合とで、特別エリアに関する情報の表示態様を異ならせることとしてもよい。【選択図】図８
2018036068.tif 000002
【特許請求の範囲】
【請求項１】
地点に関する履歴情報に基づいて前記地点について評価値を算出する算出手段と、
予め設定されたエリアのうち、前記評価値を算出した地点の属するエリアについて、当該評価値を集計して集計評価値を算出する集計手段と、
前記集計評価値が第１の基準を満たすエリアである特別エリアに関する情報を表示部に表示させる表示制御手段と、
を備えることを特徴とする表示制御装置。
【請求項２】
請求項１に記載の表示制御装置であって、
当該表示制御装置の現在位置を示す情報を取得する現在位置取得手段を更に備え、
前記表示制御手段は、前記現在位置が前記特別エリア内である場合と前記特別エリア外である場合とで、前記特別エリアに関する情報の表示態様を異ならせることを特徴とする表示制御装置。
【請求項３】
請求項２に記載の表示制御装置であって、
前記表示制御手段は、前記現在位置が前記特別エリア内である場合には、前記特別エリアに属する地点を表す情報を表示させることを特徴とする表示制御装置。
【請求項４】
請求項２又は３に記載の表示制御装置であって、
前記表示制御手段は、前記現在位置が前記特別エリア外である場合には、前記特別エリアを案内対象として表す案内情報を表示させることを特徴とする表示制御装置。
【請求項５】
請求項１乃至４の何れか一項に記載の表示制御装置であって、
前記表示制御手段は、前記集計評価値が前記第１の基準を満たさないエリアに関する情報よりも前記特別エリアに関する情報を多く表示させることを特徴とする表示制御装置。
【請求項６】
請求項１に記載の表示制御装置であって、
複数の前記エリアを含む上位エリアが予め設定されており、
前記表示制御装置の現在位置を示す情報を取得する現在位置取得手段を更に備え、
前記集計手段は、前記集計評価値が前記第１の基準を満たすエリアがない場合に、前記上位エリアのうち、前記評価値を算出した各地点の属する上位エリアについて、当該評価値を集計して上位集計評価値を算出し、
前記表示制御手段は、前記上位集計評価値が第２の基準を満たす特別上位エリア内に現在位置が含まれない場合に、当該特別上位エリアを案内対象として表す案内情報を表示させることを特徴とする表示制御装置。
【請求項７】
請求項１に記載の表示制御装置であって、
当該表示制御装置の現在位置を示す情報を取得する現在位置取得手段を更に備え、
前記表示制御手段は、前記評価値が第３の基準を満たす特別地点が属する前記特別エリア外に前記現在位置がある場合には、前記特別エリアを案内対象として表す案内情報とともに前記特別地点を表す情報を表示させることを特徴とする表示制御装置。
【請求項８】
表示制御装置による表示制御方法であって、
地点に関する履歴情報に基づいて前記地点について評価値を算出する算出工程と、
予め設定されたエリアのうち、前記評価値を算出した地点の属するエリアについて、当該評価値を集計して集計評価値を算出する集計工程と、
前記集計評価値が第１の基準を満たすエリアである特別エリアに関する情報を表示部に表示させる表示制御工程と、
を含むことを特徴とする表示制御方法。
【請求項９】
コンピュータを、
地点に関する履歴情報に基づいて前記地点について評価値を算出する算出手段、
予め設定されたエリアのうち、前記評価値を算出した地点の属するエリアについて、当該評価値を集計して集計評価値を算出する集計手段、
前記集計評価値が第１の基準を満たすエリアである特別エリアに関する情報を表示部に表示させる表示制御手段、
として機能させることを特徴とする表示制御プログラム。
【請求項１０】
コンピュータを、
地点に関する履歴情報に基づいて前記地点について評価値を算出する算出手段、
予め設定されたエリアのうち、前記評価値を算出した地点の属するエリアについて、当該評価値を集計して集計評価値を算出する集計手段、
前記集計評価値が第１の基準を満たすエリアである特別エリアに関する情報を表示部に表示させる表示制御手段、
として機能させることを特徴とする表示制御プログラムを記録したコンピュータ読み取り可能な記録媒体。
【発明の詳細な説明】
【技術分野】
【０００１】
本願は、地点に関する情報を表示する表示制御装置等の技術分野に関する。
【背景技術】
【０００２】
従来、ナビゲーション装置は、現在位置から、ユーザにより設定された目的地までの経路を探索して案内するが、毎回目的地を設定することはユーザにとって手間であった。
【０００３】
そうした中、特許文献１には、ユーザが目的地を設定しないで目的地へ向けて移動を開始した後に、目的地を推定して提示することにより、容易に目的地を設定することができる技術が開示されている。具体的には、ユーザの進行方向に対して所定の角度範囲内にある地点であって、ユーザが過去に移動した経路上の地点を目的地候補として表示する。
【先行技術文献】
【特許文献】
【０００４】
【特許文献１】特開２０１６−１４５８４０号公報
【発明の概要】
【発明が解決しようとする課題】
【０００５】
しかしながら、特許文献１に記載の技術では、ユーザの目的地である可能性が低い地点を沢山表示してしまうおそれがある。
【０００６】
本願発明は、こうした事情に鑑み、ユーザの目的地である可能性の高い位置に関する情報を表示することのできる表示制御装置等を提供することを課題とする。
【課題を解決するための手段】
【０００７】
請求項１に記載の発明は、地点に関する履歴情報に基づいて前記地点について評価値を算出する算出手段と、予め設定されたエリアのうち、前記評価値を算出した地点の属するエリアについて、当該評価値を集計して集計評価値を算出する集計手段と、前記集計評価値が第１の基準を満たすエリアである特別エリアに関する情報を表示部に表示させる表示制御手段と、を備えることを特徴とする。
【０００８】
請求項８に記載の発明は、表示制御装置による表示制御方法であって、地点に関する履歴情報に基づいて前記地点について評価値を算出する算出工程と、予め設定されたエリアのうち、前記評価値を算出した地点の属するエリアについて、当該評価値を集計して集計評価値を算出する集計工程と、前記集計評価値が第１の基準を満たすエリアである特別エリアに関する情報を表示部に表示させる表示制御工程と、を含むことを特徴とする。
【０００９】
請求項９に記載の発明は、コンピュータを、地点に関する履歴情報に基づいて前記地点について評価値を算出する算出手段、予め設定されたエリアのうち、前記評価値を算出した地点の属するエリアについて、当該評価値を集計して集計評価値を算出する集計手段、前記集計評価値が第１の基準を満たすエリアである特別エリアに関する情報を表示部に表示させる表示制御手段、として機能させることを特徴とする。
【００１０】
請求項１０に記載の発明は、コンピュータを、地点に関する履歴情報に基づいて前記地点について評価値を算出する算出手段、予め設定されたエリアのうち、前記評価値を算出した地点の属するエリアについて、当該評価値を集計して集計評価値を算出する集計手段、前記集計評価値が第１の基準を満たすエリアである特別エリアに関する情報を表示部に表示させる表示制御手段、として機能させることを特徴とする表示制御プログラムを記録したコンピュータ読み取り可能な記録媒体である。
【図面の簡単な説明】
【００１１】
【図１】表示制御装置１のブロック図である。
【図２】地点毎に算出されるスコア、エリアスコアの一例を示す図である。
【図３】川越市エリアに属する地点と現在位置の位置関係を示す例図である。
【図４】方向看板の表示例を示す図である。
【図５】川越市エリアに属する地点と現在位置の位置関係を示す例図である。
【図６】方向看板の表示例を示す図である。
【図７】ナビゲーション装置ＮＶのブロック図である。
【図８】ナビゲーション装置ＮＶの動作例を示すフローチャートである。
【図９】地点毎に算出されるスコア、エリアスコア、上位エリアスコアの一例を示す図である。
【図１０】方向看板の表示例を示す図である。
【図１１】地点毎に算出されるスコア、エリアスコアの一例を示す図である。
【図１２】方向看板の表示例を示す図である。
【図１３】地点毎に算出されるスコア、エリアスコアの一例を示す図である。
【図１４】川越市エリア及び所沢市エリアに属する地点と現在位置の位置関係を示す例図である。
【図１５】方向看板の表示例を示す図である。
【発明を実施するための形態】
【００１２】
本願発明を実施するための形態について、図１を用いて説明する。
【００１３】
図１に示すように、表示制御装置１は算出手段１１１Ａと、集計手段１１１Ｂと、表示制御手段１１１Ｃを備え、表示部２と接続されている。
【００１４】
算出手段１１１Ａは、地点に関する履歴情報に基づいて前記地点について評価値を算出する。地点に関する履歴情報とは、例えば、ユーザが地点を検索した履歴を示す情報、ユーザが地点を訪問・経由した履歴を示す情報などである。評価値は、例えば、ユーザが目的地とする可能性の度合いを表す数値であり、当該数値が高いほど、ユーザの目的地である可能性が高い。
【００１５】
集計手段１１１Ｂは、予め設定されたエリアのうち、前記評価値を算出した地点の属するエリアについて、当該評価値を集計して集計評価値を算出する。予め設定されたエリアとは、例えば、行政区画（市区町村等）であるが、任意に設定することもできる。
【００１６】
表示制御手段１１１Ｃは、集計評価値が第１の基準を満たすエリアである特別エリアに関する情報を表示部２に表示させる。第１の基準とは、例えば、集計評価値と比較するために予め設定された閾値である。
【００１７】
したがって、表示制御装置１によれば、ユーザの目的地を含む可能性の高い特別エリアに関する情報を表示することができる。
【００１８】
表示制御装置１は、表示制御装置１の現在位置を示す情報を取得する現在位置取得手段１１１Ｄを更に備えることとしてもよい。現在位置を示す情報とは、例えば、緯度・経度を表す情報などである。
【００１９】
そして、表示制御手段１１１Ｃは、現在位置が特別エリア内である場合と特別エリア外である場合とで、特別エリアに関する情報の表示態様を異ならせることとしてもよい。これによりユーザは、現在位置が目的地を含む可能性の高い特別エリア内であるか否かを一目で把握することができる。
【００２０】
また、表示制御手段１１１Ｃは、現在位置が特別エリア内である場合には、特別エリアに属する地点を表す情報を表示させることとしてもよい。地点を表す情報は、例えば、地点を表す名称（施設名称等）、地点を表す行政表記（例えば、○○県○○市○○町１−１−１）、地点を表すアイコンなどである。これにより、ユーザは、現在位置が目的地を含む可能性の高い特別エリア内である場合に当該特別エリアに属する地点を一目で把握することができる。
【００２１】
更に、表示制御手段１１１Ｃは、現在位置が特別エリア外である場合には、特別エリアを案内対象として表す案内情報を表示させることとしてもよい。これにより、ユーザは、目的地を含む可能性の高い特別エリアの方向に移動しやすくなる。
【００２２】
更にまた、表示制御手段１１１Ｃは、集計評価値が第１の基準を満たさないエリアに関する情報よりも特別エリアに関する情報を多く表示させることとしてもよい。これにより、目的地である可能性の高い特別エリアに関する情報が、目的地である可能性の低いエリアに関する情報よりも多く表示されることから、ユーザは有益である可能性の高い情報を多く取得することができる。なお、集計評価値が第１の基準を満たさないエリアに関する情報よりも特別エリアに関する情報を多く表示させることには、特別エリアに関する情報をある程度表示させ、集計評価値が第１の基準を満たさないエリアに関する情報を一切表示させないことを含む。
【００２３】
なお、複数の前記エリアを含む上位エリアを予め設定することとしてもよい。例えば、市区町村名で識別されるエリアを設定した場合（例えば、川越市）に、その上位エリアとして都道府県名で識別されるエリア（例えば、埼玉県）を設定することができる。そして、集計手段１１１Ａは、集計評価値が第１の基準を満たすエリアがない場合に、上位エリアのうち、評価値を算出した各地点の属する上位エリアについて、当該評価値を集計して上位集計評価値を算出し、表示制御手段１１１Ｃが、上位集計評価値が第２の基準を満たす特別上位エリア内に現在位置が含まれない場合に、当該特別上位エリアを案内対象として表す案内情報を表示させることとしてもよい。第２の基準とは、例えば、上位集計評価値と比較するために予め設定された閾値である。これにより、ユーザは、目的地を含む可能性の高い特別上位エリアの方向に移動しやすくなる。
【００２４】
更にまた、表示制御手段１１１Ｃは、評価値が第３の基準を満たす特別地点が属する特別エリア外に現在位置がある場合には、特別エリアを案内対象として表す案内情報とともに特別地点を表す情報を表示させることとしてもよい。第３の基準とは、例えば、評価値と比較するために予め設定された閾値である。これにより、特別エリアを案内対象として表す案内情報のみならず、目的地の可能性の高い地点を表す情報も表示されることからユーザは特別エリアがどのようなエリアかを把握しやすくなる。
【実施例】
【００２５】
次に、上述した実施形態に対応する具体的な実施例について説明する。
【００２６】
図２−図８を用いて実施例について説明する。なお以下に説明する実施例は、本願発明を、車両に搭載されたナビゲーション装置に適用した場合の実施例である。
【００２７】
［１．ナビゲーション装置の概要］
まず、本実施例におけるナビゲーション装置の目的地提示機能の概略について説明する。目的地提示機能は、利用者が目的地を設定しないで走行している際に、過去に訪問や検索したことのある地点の中から目的地候補地点又は目的地候補地点を含むエリアを推定して画面上の方向看板に表示する機能である。
【００２８】
ナビゲーション装置は目的地提示機能のために日頃（目的地提示機能の作動中であるか否かにかかわらず）、目的地の検索履歴や訪問（経由）履歴等を示す履歴情報を記録する。
【００２９】
ナビゲーション装置は、従来公知の手法により、履歴情報に基づいて、図２に示すようにユーザの目的地候補地点を推定するためのスコア（「評価値」の一例）を地点について算出する。スコアの値が高いほど、ユーザの目的地である可能性が高い。そのため、スコアが一定以上の地点について目的地候補地点としてユーザに提示することができる。スコアを算出する地点が多い場合には、車両（ナビゲーション装置）の現在位置から距離又は移動時間が所定の範囲外にある地点や、検索・訪問（経由）した日から所定期間以上が経過した地点を除外してスコアを算出してもよい。図２は、川越市にある「会社」、「コンビニ」、「ガソリンスタンド」と、ふじみ野市にある「スーパーマーケット」、「保育所」の計５地点についてスコアを算出した例を示している。
【００３０】
ナビゲーション装置は、地点が属するエリア毎にエリアスコアを算出する。エリアスコアは、エリアに属する地点のスコアの合計である。地点について算出したスコアが一定未満である場合、その地点はユーザの目的地候補地点である可能性が低いため、ユーザに提示しないことが望ましい。ナビゲーション装置は、その代わりに、エリアスコアが一定以上であれば、当該エリアを目的地候補地点が属するエリアとしてユーザに提示することとする。図２の例では、川越市エリアと、ふじみ野市エリアについてエリアスコアを算出している。本実施例では、ナビゲーション装置は、エリアスコアが５０以上（「第１の基準」の一例）のエリアに関する情報を方向看板に表示する。
【００３１】
図３は、エリアスコアが５０以上である川越市エリアに属する地点の位置関係を示す図であり、車両の位置は車両マークＣにより表されている。図３の例では、車両が川越市エリア外に位置している。この場合、ナビゲーション装置は、図４に示すように、直進方向が川越市方面であることを示す方向看板５００を表示する。一方、図５の例では、車両が川越市エリア内に位置している。この場合、ナビゲーション装置は、図６に示すように、川越市エリアに属する地点の名称「会社」、「コンビニ」、「ガソリンスタンド」を、地点の方向と対応付けて方向看板５００に表示する。具体的には、図５に示すように、「会社」は分岐点Ｆ１を直進した方向に位置し、「コンビニ」は分岐点Ｆ１を右折した方向に位置し、「ガソリンスタンド」は分岐点Ｆ１を左折した方向に位置するので、これに合わせて、方向看板５００においても直進方向に「会社」を表す情報、右折方向に「コンビニ」を表す情報、左折方向に「ガソリンスタンド」を表す情報を表示する。すなわち、ナビゲーション装置は、エリアスコアが５０以上である川越市エリアについて、現在位置が川越市エリア外である場合には、川越市エリアを案内対象として案内情報を表示し、一方、現在位置が川越市エリア内である場合には、川越市エリアに属する地点を案内対象として案内情報を表示する。
【００３２】
本実施例によれば、個別の地点としてはスコアが低く目的地候補地点としてユーザに提示することができない場合であっても、一定のスコアを有するエリアを目的地候補地点を含むエリアとしてユーザに提示することができる。また、一定のスコアを有しないエリアについては提示しないことによりユーザを徒に惑わせることがない。
【００３３】
［２．ナビゲーション装置の構成］
次に、図７を用いて本実施例に係るナビゲーション装置ＮＶの構成について説明する。図７に示すように、ナビゲーション装置ＮＶは、制御部２１１と、ＨＤＤ等からなる記憶装置２１２と、キーボード又はリモートコントローラ、タッチパネル等からなる入力装置２１３と、表示ユニット２１４と、バスライン２１５と、入出力インターフェース部２２０と、車速センサ２２１と、角速度センサ２２２と、加速度センサ２２３と、舵角センサ２２４と、ＧＰＳ受信部２２５と、データ送受信部２２６と、無線通信部２２７を備えて構成されている。
【００３４】
車速センサ２２１は、例えばナビゲーション装置ＮＶが搭載されている車両から取得される車速パルス等を用いた速度検出処理等を用いて当該車両の現在速度を検出し、速度データを出力する。角速度センサ２２２は、当該車両の、例えば方向変化の角速度を検出し、単位時間当たりの角速度データ及び相対方位データを出力する。加速度センサ２２３は、当該車両の例えば前後方向の加速度を検出し、単位時間当たりの加速度データ等を出力する。舵角センサ２２４は、当該車両の舵角を検出し、舵角データ等を出力する。ＧＰＳ受信部２２５は、ＧＰＳ衛星からの航法電波を受信し、ＧＰＳ測位データとして自車位置情報（現在位置情報）である緯度、経度、高度データ、車両の進行方向の絶対方位データ及びＧＰＳ速度データ等を出力する。データ送受信部２２６は、ネットワークを介したサーバ装置との間のデータの送受信に係る処理を行う。無線通信部２２７は、無線による路車間通信と車車間通信に係る処理を行う。
【００３５】
記憶装置２１２は、オペレーティングシステムや、アプリケーションプログラム等の各種プログラム（目的地提示機能を実現するためのプログラムを含む）を記憶する。なお、各種プログラムは、例えば、サーバ装置等からネットワークを介して取得されるようにしても良いし、ＣＤ、ＤＶＤ、ＵＳＢメモリ等の記録媒体に記録されたものを読み込んで実行することとしてもよい。
【００３６】
また、記憶装置２１２は、表示ユニット２１４に地図を表示するための地図画像データや、経路の探索等に用いる地図情報、道路リンク情報などが格納される。地図情報は、ナビゲーション装置ＮＶが案内可能な地点について、何れのエリア（市区町村、都道府県）に属するかを判別可能な情報を含む。
【００３７】
更に、記憶装置２１２は、目的地提示機能を実現するために必要な情報を記憶する。例えば、ユーザの目的地検索履歴や地点訪問履歴（経由履歴）等を示す履歴情報、分岐点に関する分岐点情報（分岐点の位置を示す情報）を記憶する。
【００３８】
入力装置２１３は、タッチパネル、キーボード、マウス、その他のコントローラ等により構成され、利用者の入力操作を受け付けて、操作内容を示す操作信号を制御部２１１に送信する。
【００３９】
表示ユニット２１４は、制御部２１１の制御下で各種表示データを表示する。表示ユニット２１４は、グラフィックスコントローラ２１４ａと、ＶＲＡＭ（Video RAM）等のメモリからなるバッファメモリ２１４ｂと、液晶ディスプレイ等からなるディスプレイ２１４ｃ等を備えて構成されている。この構成においてグラフィックスコントローラ２１４ａは、バスライン２１５を介して制御部２１１から送られる制御データに基づいて、表示ユニット２１４全体の制御を行う。また、バッファメモリ２１４ｂは、即時表示可能な画像情報を一時的に記憶する。そして、グラフィックスコントローラ２１４ａから出力される画像データに基づいて、ディスプレイ２１４ｃに画像が表示される。ディスプレイ２１４ｃは方向看板画面５００（図４等を参照）を表示する。
【００４０】
制御部２１１は、制御部２１１全体を制御するＣＰＵ２１１ａと、制御部２１１を制御する制御プログラム等が予め記憶されているＲＯＭ２１１ｂと、各種データを一時的に格納するＲＡＭ２１１ｃと、により構成されている。制御部２１１は、車速センサ２２１、角速度センサ２２２、加速度センサ２２３、舵角センサ２２４及びＧＰＳ受信部２２５と、バスライン２１５及び入出力インターフェース部２２０を介して接続されており、それぞれから出力される速度データ、角速度データ及び相対方位データ、舵角データ、ＧＰＳ測位データ及び車両の進行方向の絶対方位データ、加速度データ等に基づいて、ナビゲーション装置全体の制御を行うとともに、表示ユニット２１４等の各種構成部材における夫々の動作を制御する。
【００４１】
［３．ナビゲーション装置ＮＶの動作例］
次に、図８のフローチャートを用いて、ナビゲーション装置ＮＶの目的地提示機能作動中の動作例について説明する。
【００４２】
まず、ナビゲーション装置ＮＶの制御部２１１は、記憶装置２１２に記録された履歴情報に基づいて、地点のスコアを算出する（ステップＳ１１）。なお、制御部２１１は、車両の現在位置及び車両の進行方向にある地点に絞り込んでスコアを算出することとしてもよい。また、スコアの算出方法としては、従来公知の手法を採用することができる。
【００４３】
次に、制御部２１１は、エリア毎に地点のスコアを集計し、エリアスコアを算出する（ステップＳ１２）。
【００４４】
次に、制御部２１１は、ステップＳ１２の処理で算出したエリアスコアのうち、エリアスコアが閾値（本実施例では「５０」）以上のエリアがあるか否かを判定する（ステップＳ１３）。このとき、制御部２１１は、エリアスコアが閾値以上のエリアがないと判定した場合には（ステップＳ１３：ＮＯ）、当該フローチャートに示す処理を終了する。一方、制御部２１１は、エリアスコアが閾値以上のエリアがあると判定した場合には（ステップＳ１３：ＹＥＳ）、当該エリアを表示エリア（「特別エリア」の一例）に決定する（ステップＳ１４）。
【００４５】
次に、制御部２１１は、ステップＳ１３の処理で決定した表示エリアのうち、現在位置を含む表示エリアがあるか否かを判定する（ステップＳ１５）。このとき、制御部２１１は、現在位置を含む表示エリアがあると判定した場合には（ステップＳ１５：ＹＥＳ）、当該表示エリアに属する各地点の名称を表示する方向看板画面５００をディスプレイ２１４ｃに表示させ（ステップＳ１６）、当該フローチャートに示す処理を終了する。一方、制御部２１１は、現在位置を含む表示エリアがないと判定した場合には（ステップＳ１５：ＮＯ）、ステップＳ１４の処理で決定した表示エリアの名称を表示する方向看板画面５００をディスプレイ２１４ｃに表示させ（ステップＳ１７）、当該フローチャートに示す処理を終了する。
【００４６】
以上説明したように、本実施例に係るナビゲーション装置ＮＶ（「表示制御装置１」の一例）によれば、制御部２１１（「算出手段」、「集計手段」、「表示制御手段」の一例）は、地点に関する履歴情報に基づいて地点についてスコア（「評価値」の一例）を算出し、予め行政区画により設定されたエリアのうち、スコアを算出した地点の属するエリアについて、当該スコアを集計してエリアスコア（「集計評価値」の一例）を算出し、エリアスコアが５０以上のエリア（「第１の基準を満たすエリア」、「特別エリア」の一例）である川越市エリアに関する情報をディスプレイ２１４ｃの画面（「表示部２」の一例）に表示させる。
【００４７】
したがって、本実施例に係るナビゲーション装置ＮＶによれば、ユーザの目的地を含む可能性の高い川越市エリアに関する情報を表示することができる。
【００４８】
また、本実施例に係るナビゲーション装置ＮＶの制御部２１１（「現在位置取得手段」の一例）は、ナビゲーション装置ＮＶの現在位置を示す情報を取得し、現在位置が川越市エリア内である場合と川越市エリア外である場合とで、川越市エリアに関する情報の表示態様を異ならせる。これによりユーザは、現在位置が目的地を含む可能性の高い川越市エリア内であるか否かを一目で把握することができる。
【００４９】
更に、本実施例に係るナビゲーション装置ＮＶの制御部２１１は、現在位置が川越市エリア内である場合には、川越市エリアに属する地点「会社」、「コンビニ」、「ガソリンスタンド」の名称を表示させる。これにより、ユーザは、現在位置が目的地を含む可能性の高い川越市エリア内である場合に川越市エリアに属する地点を一目で把握することができる。
【００５０】
更にまた、本実施例に係るナビゲーション装置ＮＶの制御部２１１は、現在位置が川越市エリア外である場合には、川越市エリアを案内対象として表す案内情報を表示させる。これにより、ユーザは、目的地を含む可能性の高い川越市エリアの方向に移動しやすくなる。
【００５１】
なお、本実施例では、車載用のナビゲーション装置ＮＶについて本発明を適用した場合について説明したが、携帯用のナビゲーション装置や、ナビゲーション用アプリケーションプログラムがインストールされたスマートフォン、タブレット端末、ＰＣ等に適用することもできる。
【００５２】
［４．変形例］
次に、上記実施例の変形例について説明する。なお、以下に説明する変形例は適宜組み合わせることができる。
【００５３】
［４．１．変形例１］
上記実施例では、制御部２１１が、エリアについてエリアスコアを算出することとしたが、これに加えて、エリアの上位である上位エリアについて上位エリアスコアを算出することとしてもよい。上記実施例では、エリアを「市区町村」レベルと対応付けていたが、本変形例では上位エリアを「都道府県」レベルと対応付けることとする。
【００５４】
図９は、川越市にある「会社」、「コンビニ」、「ガソリンスタンド」と、ふじみ野市にある「スーパーマーケット」、「保育所」と、練馬区にある「レストラン」の計６地点についてスコアを算出した例を示している。この例において、エリアスコアは、川越市エリアが「６５」、ふじみ野市エリアが「２５」、練馬区エリアが「１０」である。ここで、表示エリアを決定するための閾値（ステップＳ１３の閾値）が例えば「７０」に設定されていたと仮定すると、表示エリアが決定されないこととなる。
【００５５】
そこで、本変形例では、制御部２１１が、エリアの上位エリアについて上位エリアスコアを算出する。図９の例において、上位エリアスコアは、埼玉県エリアが「９０」、東京都エリアが「１０」である。ここで、埼玉県エリアの上位エリアスコアが表示エリアを決定するための閾値「７０」（エリアの中で表示エリアを決定する場合と、上位エリアの中で表示エリアを決定する場合とで閾値を変えてもよい。本変形例では変えないものとして説明する）以上であるので、制御部２１１は、埼玉県エリアを表示エリアとして決定する。そして、制御部２１１は、現在位置が埼玉県エリア外である場合に、図１０に示すように、埼玉県エリアの方面を示す方面看板画面５００を表示させる。
【００５６】
すなわち、本変形例の制御部２１１は、エリアスコア（「集計評価値」の一例）が「５０」以上であるエリア（「第１の基準を満たすエリア」の一例）がない場合に、上位エリアのうち、スコア（「評価値」の一例）を算出した各地点の属する上位エリアについて、スコアを集計して上位エリアスコア（「上位集計評価値」の一例）を算出し、上位エリアスコアが「７０」以上のエリア（「第２の基準を満たす特別上位エリア」の一例）である埼玉県エリア内に現在位置が含まれない場合に、埼玉県エリアを案内対象として表す案内情報を表示させる方面看板画面５００を表示させる。これにより、ユーザは、目的地を含む可能性の高い埼玉県エリアの方向に移動しやすくなる。
【００５７】
［４．２．変形例２］
本変形例では、制御部２１１が、図８のステップＳ１５の処理で「ＮＯ」と判定した場合に、更に、表示エリア内の地点であって、且つ、スコアが「４０」以上の地点（「評価値が第３の基準を満たす地点」の一例）があるか判定し、該当地点がある場合には当該地点を表示地点（「特別地点」の一例）に決定する。そして、制御部２１１は、車両の現在位置が表示エリア外である場合には、表示エリアを案内対象として表す案内情報とともに表示地点を表す情報を表示させることとする。
【００５８】
例えば、図１１の例では、制御部２１１は、川越市エリアを表示エリアに決定するとともに、川越市エリアに属する「会社」のスコアが「５５」（「４０」以上）であるため表示地点に決定する。そして、制御部２１１は、車両の現在位置が川越市エリア外である場合に、図１２に示すように、「会社」及び川越市エリアの方面を示す方面看板画面５００を表示させる。
【００５９】
すなわち、本変形例の制御部２１１は、スコア（「評価値」の一例）が「４０」以上の地点（「第３の基準を満たす特別地点」の一例）である「会社」が属する川越市エリア（「特別エリア」の一例）外に現在位置がある場合には、川越市エリアを案内対象として表す案内情報とともに「会社」を表す情報を表示させる。これにより、川越市エリアを案内対象として表す案内情報のみならず、「会社」を表す情報も表示されることからユーザは川越市エリアがどのようなエリアかを把握しやすくなる。
【００６０】
［４．３．変形例３］
本変形例は、制御部２１１が表示エリアとして複数のエリアを決定する場合の変形例である。本変形例では、表示エリアを決定するための閾値を、下記（１）式により算出する。
閾値＝（１／エリアスコアを算出したエリア数）×１００    （１）式
例えば、図１３の例では、「エリアスコアを算出したエリア数」は川越市、ふじみ野市、所沢市の３エリアであるので、閾値は「３３」（小数点以下の処理は、切り捨て、切り上げ、四捨五入など、何れでもよい）となる。そして、制御部２１１は、エリアスコアが閾値「３３」以上のエリアである川越市エリア及び所沢市エリアを表示エリアに決定する。
【００６１】
図１４は、表示エリアである川越市エリア及び所沢市エリアとそれぞれのエリアに属する地点の位置関係の例を示す図である。すなわち、車両の進行方向にある分岐点Ｆ２を右折すると川越市エリア方面であり、川越市エリアには「会社」、「コンビニ」が属する。一方、分岐点Ｆ２を直進すると所沢市エリア方面であり、所沢市エリアには「駅」、「レストラン」が属する。制御部２１１は、二つの表示エリアである川越市エリア及び所沢市エリアの位置関係が図１４の通りである場合には、図１５に示すように、直進方向に所沢市エリアを案内対象として表す案内情報を表示させるとともに、右折方向に川越市エリアを案内対象として表す案内情報を表示させる方面看板画面５００を表示させる。これにより、目的地を含む可能性の高い複数のエリアをユーザに提示することができる。
【符号の説明】
【００６２】
１  表示制御装置
１１１Ａ  算出手段
１１１Ｂ  集計手段
１１１Ｃ  表示制御手段
１１１Ｄ  現在位置取得手段
２  表示部
ＮＶ  ナビゲーション装置
２１１  制御部
２１１ａ  ＣＰＵ
２１１ｂ  ＲＯＭ
２１１ｃ  ＲＡＭ
２１２  記憶装置
２１３  入力装置
２１４  表示ユニット
２１４ａ  グラフィックスコントローラ
２１４ｂ  バッファメモリ
２１４ｃ  ディスプレイ
２１５  バスライン
２２０  入出力インターフェース部
２２１  車速センサ
２２２  角速度センサ
２２３  加速度センサ
２２４  舵角センサ
２２５  ＧＰＳ受信部
２２６  データ送受信部
２２７  無線通信部
【図１】
2018036068.tif 000003
【図２】
2018036068.tif 000004
【図３】
2018036068.tif 000005
【図４】
2018036068.tif 000006
【図５】
2018036068.tif 000007
【図６】
2018036068.tif 000008
【図７】
2018036068.tif 000009
【図８】
2018036068.tif 000010
【図９】
2018036068.tif 000011
【図１０】
2018036068.tif 000012
【図１１】
2018036068.tif 000013
【図１２】
2018036068.tif 000014
【図１３】
2018036068.tif 000015
【図１４】
2018036068.tif 000016
【図１５】
2018036068.tif 000017